【手続補正書】
【提出日】平成26年9月30日(2014.9.30)
【手続補正１】
【補正対象書類名】明細書
【補正対象項目名】発明の名称
【補正方法】変更
【補正の内容】
【発明の名称】近距離無線通信機能を備えた機器、ネットワークシステム、近距離無線通信の制御方法、及び近距離無線通信制御プログラム
【手続補正２】
【補正対象書類名】明細書
【補正対象項目名】０００１
【補正方法】変更
【補正の内容】
【０００１】
本発明は、近距離無線通信機能を備えた機器、この機器が有線又は無線のネットワークを介して接続されたネットワークシステム、この機器に係る近距離無線通信の制御方法、及びこの方法で実施される各ステップをコンピュータによって実行するための近距離無線通信制御プログラムに関する。
【手続補正３】
【補正対象書類名】明細書
【補正対象項目名】００１２
【補正方法】変更
【補正の内容】
【００１２】
前記課題を解決するため、本発明の第１の手段は、近距離無線通信機能を備えた機器であって、近距離無線通信の相手となるデバイス機器から所定の情報を取得する情報取得手段と、前記近距離無線通信の状態を表示する表示手段と、を備え、前記情報取得手段は、取得した前記所定の情報に基づいて前記近距離無線通信を行った利用者が一般ユーザであるか管理者ユーザであるかを判断し、当該判断結果に応じて、当該一般ユーザ又は当該管理者ユーザに対応する情報を前記表示手段に表示することを特徴とする。
【手続補正４】
【補正対象書類名】明細書
【補正対象項目名】００１３
【補正方法】変更
【補正の内容】
【００１３】
本発明の第２の手段は、第１の手段において、前記情報取得手段は、前記判断結果として、前記利用者が前記一般ユーザであると判断された場合にはネットワーク設定を実行している旨を前記表示手段に表示し、前記管理ユーザであると判断された場合には管理者レベルに応じた画面を当該表示手段に表示することを特徴とする。
【手続補正５】
【補正対象書類名】明細書
【補正対象項目名】００１４
【補正方法】変更
【補正の内容】
【００１４】
本発明の第３の手段は、第１の手段又は第２の手段において、前記情報取得手段は、前記所定の情報に係るセキュリティ条件が一致していれば当該セキュリティ条件が一致した旨を前記表示手段に表示し、当該セキュリティ条件が一致していなければ前記所定の情報に基づく条件では使用できない旨を当該表示手段に表示することを特徴とする。
【手続補正６】
【補正対象書類名】明細書
【補正対象項目名】００１５
【補正方法】変更
【補正の内容】
【００１５】
本発明の第４の手段は、第１の手段〜第３の手段の何れか１つの手段において、前記所定の情報は、ケーパビリティ情報又はＡＣＬ権限情報であることを特徴とする。
【手続補正７】
【補正対象書類名】明細書
【補正対象項目名】００１６
【補正方法】変更
【補正の内容】
【００１６】
本発明の第５の手段は、有線ＬＡＮ又は無線ＬＡＮ回線の何れかを含むネットワーク回線と、前記ネットワーク回線に接続された上記第１の手段〜第４の手段の何れか１つの手段の近距離無線通信機能を備えた機器と、前記近距離無線通信機能を備えた機器を相手に近距離無線通信を行うデバイス機器と、を備えたネットワークシステムであることを特徴とする。
【手続補正８】
【補正対象書類名】明細書
【補正対象項目名】００１７
【補正方法】変更
【補正の内容】
【００１７】
本発明の第６の手段は、第５の手段において、前記近距離無線通信機能を備えた機器は、プリンタ機能、スキャナ機能、ファクシミリ機能のうちの少なくとも２つの機能を有するデジタル複合機、又はパーソナルコンピュータの何れかであり、前記デバイス機器は、ＩＣカード、ＲＦＩＤ、ＮＦＣリーダ・ライタ装置、携帯電話機、モバイル端末の何れかであることを特徴とする。
【手続補正９】
【補正対象書類名】明細書
【補正対象項目名】００１８
【補正方法】変更
【補正の内容】
【００１８】
本発明の第７の手段は、近距離無線通信機能を備えた機器における近距離無線通信の制御方法であって、情報取得手段により、近距離無線通信の相手となるデバイス機器から所定の情報を取得する情報取得ステップと、表示手段により、前記デバイス機器との前記近距離無線通信の状態を表示する表示ステップと、を有し、前記情報取得ステップでは、取得した前記所定の情報に基づいて前記デバイス機器を利用して前記近距離無線通信を行った利用者が一般ユーザであるか管理者ユーザであるかを判断し、当該判断結果に応じて、当該一般ユーザ又は当該管理者ユーザに対応する情報を前記表示ステップで前記表示手段に表示させることを特徴とする。
【手続補正１０】
【補正対象書類名】明細書
【補正対象項目名】００１９
【補正方法】変更
【補正の内容】
【００１９】
本発明の第８の手段は、上記第７の手段の近距離無線通信の制御方法における前記情報取得ステップ及び前記表示ステップをコンピュータにより実行させるための近距離無線通信制御プログラムであることを特徴とする。
【手続補正１１】
【補正対象書類名】明細書
【補正対象項目名】００２１
【補正方法】変更
【補正の内容】
【００２１】
なお、後述の実施形態において、有線ＬＡＮ及び無線ＬＡＮ回線はネットワーク８に、有線ＬＡＮ及び無線ＬＡＮ回線の少なくとも一方に接続するためのインターフェースはＮＩＣ１０６及びＷＬＡＮ１０７に、ローカルインターフェイスはＵＳＢホストに接続されたＮＦＣ−Ｒ／Ｗ１１に、周辺機器は画像形成装置１又はＰＣ５に、デバイス機器はＩＣカード１１３、ＲＦＩＤ１１４、ＮＦＣ−Ｒ／Ｗ１１５、モバイル端末６，７に、近距離無線通信はＮＦＣ（Near Field Communication）に、制御手段はＣＰＵ１０２、ＲＡＭ１０３、ＡＳＩＣ１０４に、操作表示部は符号１３に、ネットワークは符号８に、ＡＣＬ管理（又はケーパビリティ情報管理）サーバは符号４に、トークン情報は符号１０に、通信内容を記録し、保持する手段はＲＡＭ１１６又はＨＤＤ１１７に、それぞれ対応する。
【手続補正１２】
【補正対象書類名】明細書
【補正対象項目名】００２４
【補正方法】変更
【補正の内容】
【００２４】
本発明の近距離無線通信機能を備えた機器、ネットワークシステム、近距離無線通信の制御方法、及び近距離無線通信制御プログラムでは、アソシエーション情報、ペアリング情報及び認証情報の送受を行う際に、ＮＦＣ内のケーパビリティ情報あるいはＡＣＬ権限情報の種類によって認証情報の条件が異なるため、ユーザ認証成立後はそのケーパビリティ情報やＡＣＬ権限情報の違いを判断して、利用できる機能の制限などを行うようにしている。その際、ケーパビリティ情報やＡＣＬ権限情報毎の機能制限と登録ユーザの機能制限を関連付ける（紐付けする）ことを可能としている。
【手続補正１３】
【補正対象書類名】明細書
【補正対象項目名】００４８
【補正方法】変更
【補正の内容】
【００４８】
図１２は、本実施形態に係るＮＦＣトークン情報の取得動作手順を示すフローチャートである。同フローチャートにおける処理は、主に、ＮＦＣトークンの認識処理、ＡＣＬ／ケーパビリティ情報チェック処理、ネットワーク設定処理、アソシエーション又はペアリング処理、管理者用の画像表示処理などの各処理からなる。このフローチャートでは、まず、画像形成装置１を含むシステムが起動した後、ＮＦＣ−Ｒ／Ｗ１１が画像形成装置１のＵＳＢホスト１０９に接続されており、かつＮＦＣ−Ｒ／Ｗ１１が使用可能な場合、ユーザがＩＣカード１１３、ＲＦＩＤチップ１１４、携帯電話、あるいはＰＤＡなどのＮＦＣ機能を備えたモバイル端末６をＮＦＣ−Ｒ／Ｗ１１に近接した位置に持って行き、ＮＦＣ−Ｒ／Ｗ１１上に翳すと、前記モバイル端末６内のＮＦＣトークン１０内の情報を認識する（ステップＳ１）。次いで、ＮＦＣトークン１０内のアクセスエリアの情報に基づいて、使用されているＮＦＣトークン１０のタイプ情報を判定する（ステップＳ２）。
【手続補正１４】
【補正対象書類名】特許請求の範囲
【補正対象項目名】全文
【補正方法】変更
【補正の内容】
【特許請求の範囲】
【請求項１】
近距離無線通信機能を備えた機器であって、
近距離無線通信の相手となるデバイス機器から所定の情報を取得する情報取得手段と、
前記近距離無線通信の状態を表示する表示手段と、を備え、
前記情報取得手段は、取得した前記所定の情報に基づいて前記近距離無線通信を行った利用者が一般ユーザであるか管理者ユーザであるかを判断し、当該判断結果に応じて、当該一般ユーザ又は当該管理者ユーザに対応する情報を前記表示手段に表示することを特徴とする近距離無線通信機能を備えた機器。
【請求項２】
請求項１記載の近距離無線通信機能を備えた機器において、
前記情報取得手段は、前記判断結果として、前記利用者が前記一般ユーザであると判断された場合にはネットワーク設定を実行している旨を前記表示手段に表示し、前記管理ユーザであると判断された場合には管理者レベルに応じた画面を当該表示手段に表示することを特徴とする近距離無線通信機能を備えた機器。
【請求項３】
請求項１又は２記載の近距離無線通信機能を備えた機器において、
前記情報取得手段は、前記所定の情報に係るセキュリティ条件が一致していれば当該セキュリティ条件が一致した旨を前記表示手段に表示し、当該セキュリティ条件が一致していなければ前記所定の情報に基づく条件では使用できない旨を当該表示手段に表示することを特徴とする近距離無線通信機能を備えた機器。
【請求項４】
請求項１〜３の何れか１項記載の近距離無線通信機能を備えた機器において、
前記所定の情報は、ケーパビリティ情報又はＡＣＬ権限情報であることを特徴とする近距離無線通信機能を備えた機器。
【請求項５】
有線ＬＡＮ又は無線ＬＡＮ回線の何れかを含むネットワーク回線と、
前記ネットワーク回線に接続された請求項１〜４の何れか１項記載の近距離無線通信機能を備えた機器と、
前記近距離無線通信機能を備えた機器を相手に近距離無線通信を行うデバイス機器と、
を備えたことを特徴とするネットワークシステム。
【請求項６】
請求項５記載のネットワークシステムにおいて、
前記近距離無線通信機能を備えた機器は、プリンタ機能、スキャナ機能、ファクシミリ機能のうちの少なくとも２つの機能を有するデジタル複合機、又はパーソナルコンピュータの何れかであり、
前記デバイス機器は、ＩＣカード、ＲＦＩＤ、ＮＦＣリーダ・ライタ装置、携帯電話機、モバイル端末の何れかであることを特徴とするネットワークシステム。
【請求項７】
近距離無線通信機能を備えた機器における近距離無線通信の制御方法であって、
情報取得手段により、近距離無線通信の相手となるデバイス機器から所定の情報を取得する情報取得ステップと、
表示手段により、前記デバイス機器との前記近距離無線通信の状態を表示する表示ステップと、を有し、
前記情報取得ステップでは、取得した前記所定の情報に基づいて前記デバイス機器を利用して前記近距離無線通信を行った利用者が一般ユーザであるか管理者ユーザであるかを判断し、当該判断結果に応じて、当該一般ユーザ又は当該管理者ユーザに対応する情報を前記表示ステップで前記表示手段に表示させることを特徴とする近距離無線通信の制御方法。
【請求項８】
請求項７記載の近距離無線通信の制御方法における前記情報取得ステップ及び前記表示ステップをコンピュータにより実行させるための近距離無線通信制御プログラム。